(57)【特許請求の範囲】
【請求項１】
複数のプレキャストコンクリート製の被掛止壁面材（２，３）と複数のプレキャストコンクリート製の掛止壁面材（４）とを、互いに緊結することなく交互に積むとともに、掛止壁面材（４）が被掛止壁面材（２，３）に対し正面側へ変位しないように、掛止壁面材（４）に形成した掛止形状部（７）を上下の被掛止壁面材（２，３）に形成した被掛止形状部（６）に掛止させて、鉛直に組み立てた壁面（１）と、
壁面（１）の背面側に配置した、アンカーの前面投影面積の合計が壁面の面積の３０〜５０％である、複数のアンカー（１０）と、
被掛止壁面材（２，３）のみとアンカー（１０）とを緊結した補強材（２０）と、
壁面（１）の背面側にアンカー（１０）及び補強材（２０）を埋めるように充填した盛土材（３０）とからなることを特徴とするアンカー補強土壁。
【請求項２】
被掛止壁面材（３）は、左右に延びる四角棒の下面及び上面にそれぞれ左右に延びる被掛止形状部（６）が一体形成されたブロックであり、
掛止壁面材（４）は、左右に延びる四角棒の下面及び上面にそれぞれ左右に延びる掛止形状部（７）が一体形成されたブロックである請求項１記載のアンカー補強土壁。
【請求項３】
一番下に載置する基礎の被掛止壁面材（２）だけは、左右に延びる四角棒の上面のみに左右に延びる被掛止形状部（６）が一体形成されたブロックである請求項２記載のアンカー補強土壁。
【請求項４】
被掛止形状部（６）は被掛止壁面材（３）の後端部に形成された切欠であり、掛止形状部（７）は掛止壁面材（４）の後端部に形成された凸条である請求項２又は３記載のアンカー補強土壁。
【請求項５】
切欠と凸条は、断面四角形又は断面円弧形である請求項４記載のアンカー補強土壁。
【請求項６】
被掛止形状部（６）は被掛止壁面材（３）の前後方向中間部に形成された凸条であり、掛止形状部（７）は掛止壁面材（４）の前後方向中間部に形成された溝である請求項２又は３記載のアンカー補強土壁。
【請求項７】
凸条と溝は、断面四角形、断面三角形又は断面円弧形である請求項６記載のアンカー補強土壁。
【請求項８】
被掛止形状部（６）は被掛止壁面材（３）の前後方向中間部に形成された溝であり、掛止形状部（７）は掛止壁面材（４）の前後方向中間部に形成された凸条である請求項２又は３記載のアンカー補強土壁。
【請求項９】
溝と凸条は、断面四角形、断面三角形又は断面円弧形である請求項８記載のアンカー補強土壁。
【請求項１０】
壁面（１）の左右長に応じて、複数の被掛止壁面材（２，３）が互いに緊結されることなく左右に連なるように配置され、複数の掛止壁面材（４）が互いに緊結されることなく左右に連なるように配置された請求項１〜９のいずれか一項に記載のアンカー補強土壁。
【請求項１１】
連なる被掛止壁面材（２，３）と被掛止壁面材（２，３）との間にまたがるように掛止壁面材（４）が積まれ、連なる掛止壁面材（４）と掛止壁面材（４）との間にまたがるように被掛止壁面材（３）が積まれた請求項１０記載のアンカー補強土壁。
【請求項１２】
アンカー（１０）は、プレキャストコンクリート製の起立した板状又は該板状を基本としてその一部を変形させた形状のものである請求項１〜１１のいずれか一項に記載のアンカー補強土壁。
【発明の詳細な説明】
【技術分野】
【０００１】
本発明は、土砂の崩落を防止するアンカー補強土壁に関するものである。
【背景技術】
【０００２】
現在、我が国では補強土壁として、次の３種類がある。
（１）プレキャストコンクリート（以下「ＰＣａ」という。）壁面材と、鋼製のアンカーとを補強材で緊結し、壁面材とアンカーに挟まれた盛土材を拘束補強することによって安定し、アンカーの支圧抵抗力による引抜抵抗力を利用して土留効果を発揮させるアンカー補強土壁工法
（２）同じくＰＣａ壁面材を使用し、帯鋼補強材と盛土材との摩擦による引抜抵抗力で土留効果を発揮させる工法
（３）同じくＰＣａ壁面材を使用し、盛土内に面状に敷設した高分子素材のジオテキスタイルと盛土との摩擦力による引抜抵抗力により土留効果を発揮させる工法
このうち、（１）のアンカー補強土壁工法の従来例として、特許文献１，２を挙げる（以下で述べる従来工法である）。
【先行技術文献】
【特許文献】
【０００３】
【特許文献１】特許第３１７７３３１号公報
【特許文献２】実用新案登録第２５９０９３１号公報
【発明の概要】
【発明が解決しようとする課題】
【０００４】
本来、アンカー補強土壁工法は、正しい知見に基づき施工管理を行えば、耐震性や排水性も高く、安定した土留工法である。
しかし、アンカー補強土壁工法は、土を主体とする土留工法のため、施工精度が天候や盛土材土質に左右されやすい。そのため、盛土管理に対する知見を保持する施工業者においても、雨天時に作業を行うなど、規定通りの管理を行わなかった場合、また、発注者の指導も行き届かない現場も多く、施工不良などを見逃しやすい。そのような現場では、大災害時（大雨・地震）に被災を受けることがある。
【０００５】
また、従来工法の壁面材に対するアンカー面積は２３％程度である。そのため、正しい知見による施工管理を行った場合でも、異常降雨や強い地震などにより、壁面材の沈下、滑動、はらみ、脱落、転倒などの変状が生じることがある。変状した事例から、壁面材に対するアンカーの面積が小さいため、盛土材締め付け拘束に余裕を失い、変状が起きたと判断すべき現状があるが、アンカーの拘束強度について、調査が行われて具体的に解明されたことはない。従来工法は、公のマニュアルを発刊している現状から、アンカーの面積を云々すれば、現在の工法否定をすることになる。
【０００６】
アンカーの面積が壁面材と同じ面積であれば、すなわち、アンカー代わりに同じ壁面材を使用して壁面材同士を補強材で緊張拘束して構築すれば、補強土壁として非常に安定するが、山腹の傾斜面に盛土構築する例が多い補強土壁の場合は、地山との密着性や一体性がなく、すべり面がアンカー代わりの壁面材と地山の間に発生するため、通常はそのような施工は行わない。そのような施工は、山岳部でない都市部において多くの事例がある。
【０００７】
補強土壁は柔軟性も保持し安定した構造であるが、想定していない荷重が発生した場合や、雨水による浸透水の異常な増加などによって盛土材の強度が時に減少することがある。そのような場合、アンカーの面積が壁面材面積に対して２３％前後の従来工法では、盛土材と地山の密着度合いは保持できても、盛土材の拘束が緩みやすく、壁面材の垂直を安定的に保持することは困難である。特に施工不良等の見逃しなどがある場合、壁面材の沈下、はらみなど変状しやすく安定が損なわれる。
【０００８】
そこで、本発明の目的は、過去の災害事例から、施工不良による補強土壁の変状を少なくすることにあり、具体的には、盛土材の拘束強度を増加させ、盛土材全体を圧縮沈下しにくくし、壁面材の沈下、滑動、はらみ、脱落、転倒などの変状を防止減少させることにある。
【課題を解決するための手段】
【０００９】
そこで、本発明のアンカー補強土壁は、複数のＰＣａ製の被掛止壁面材と複数のＰＣａ製の掛止壁面材とを、互いに緊結することなく交互に積むとともに、掛止壁面材が被掛止壁面材に対し正面側へ変位しないように、掛止壁面材に形成した掛止形状部を上下の被掛止壁面材に形成した被掛止形状部に掛止させて、鉛直に組み立てた壁面と、
壁面の背面側に配置した、アンカーの前面投影面積の合計が壁面の面積の３０〜５０％である、複数のアンカーと、
被掛止壁面材のみとアンカーとを緊結した補強材と（掛止壁面材とアンカーとは緊結しない）、
壁面の背面側にアンカー及び補強材を埋めるように充填した盛土材とからなることを特徴とする。
【００１０】
被掛止壁面材と掛止壁面材は、交互に積めて、且つそれぞれ被掛止形状部と掛止形状部を有すればよいことから、形状を単純化できる。
被掛止壁面材とアンカーは、盛土材を挟み締固め拘束することで、互いに緊張し合う。
掛止壁面材は、上下を被掛止壁面材に挟まれるとともに、正面側へ変位しないように掛止形状部を上下の被掛止形状部に掛止するので、背面側からの荷重（土圧力・地震力）を受けて被掛止壁面材に分散させる。
被掛止壁面材と掛止壁面材の仕組みは、道路のＵ字側溝とその蓋受部に嵌合する溝蓋の仕組みに喩えることができる。すなわち、掛止壁面材は溝蓋に相当し、被掛止壁面材はＵ字側溝の蓋受部に相当し、Ｕ字側溝と溝蓋が車両の輪荷重と支えるのと同様に、アンカーに緊結された被掛止壁面材とそれに掛止した掛止壁面材は背面からの荷重（土圧力・地震力）を支える。
【００１１】
アンカーの前面投影面積の合計を、壁面の面積の３０％以上とするのは、アンカーが壁面材との間に挟む盛土材をより多く拘束して、盛土材全体が圧縮沈下しにくい一体の補強土壁を実現でき、異常降雨や強い地震などがあっても壁面材のはらみ、沈下、転倒、滑動などの変状が生じにくくなるためであり、一方、壁面の面積の５０％以下とするのは、５０％を超えると地山と盛土材の密着性や一体性が少しずつ損なわれるためである。
【発明の効果】
【００１２】
本発明によれば、まず、被掛止壁面材と掛止壁面材は、形状を単純化できることから、通常の流し込みコンクリート製法及び即時脱型コンクリート製法で製造でき、工費を安価にできる。次に、低壁高から高壁高まで種々の高さの壁面を、所用数の被掛止壁面材と掛止壁面材とを交互に積むことで簡易に施工できる。また、被掛止壁面材と掛止壁面材とを互いに緊結する金具を使用する作業が不要なので、工期を短縮でき、施工後に金具腐食の修復等の管理が要らない。さらに、金具で緊結しないことで、ある期間供用した後に壁面を容易に解体でき再利用もできる。そして、施工された補強土壁は、盛土材の拘束強度が大きく、盛土材全体が圧縮沈下しにくく、異常降雨や強い地震などがあっても壁面材の沈下、滑動、はらみ、脱落、転倒などの変状が生じにくい。
【図面の簡単な説明】
【００１３】
【図１】本発明の実施例に係るアンカー補強土壁の断面図である。
【図２】同アンカー補強土壁を（ａ）は正面から見た（便宜上盛土材を省く）斜視図、（ｂ）は背面から見た（便宜上盛土材及びアンカーを省く）斜視図である。
【図３】同アンカー補強土壁に用いる（ａ）は笠木、（ｂ）は中間の被掛止壁面材、（ｃ）は掛止壁面材、（ｄ）は基礎の被掛止壁面材、（ｅ）はアンカーをそれぞれ正面及び背面から見た斜視図である。
【図４】同アンカー補強土壁の壁面の変更例を示す断面図である。
【図５】同アンカー補強土壁の壁面の変更例を示す断面図である。
【図６】同アンカー補強土壁のアンカーの変更例を示す斜視図である。
【発明を実施するための形態】
【００１４】
１．壁面（被掛止壁面材と掛止壁面材）
壁面の高さは、特に限定されないが、１〜１０ｍ程度が適当である。壁面の左右長は、特に限定されないが、３ｍ以上が適当である。
【００１５】
被掛止壁面材は、左右に延びる四角棒の下面及び上面にそれぞれ左右に延びる被掛止形状部が一体形成されたブロックであり、掛止壁面材は、左右に延びる四角棒の下面及び上面にそれぞれ左右に延びる掛止形状部が一体形成されたブロックである態様を例示できる。但し、一番下に載置する基礎の被掛止壁面材だけは、左右に延びる四角棒の上面のみに左右に延びる被掛止形状部が一体形成されたブロックであることが好ましい。
【００１６】
被掛止形状部と掛止形状部としては、次の態様を例示できる。
（ア）被掛止形状部は被掛止壁面材の後端部に形成された切欠であり、掛止形状部は掛止壁面材の後端部に形成された凸条である態様。
切欠と凸条の断面形状としては、嵌合する凹と凸の関係の、断面四角形又は断面円弧形を例示できる。
【００１７】
（イ）被掛止形状部は被掛止壁面材の前後方向中間部に形成された凸条であり、掛止形状部は掛止壁面材の前後方向中間部に形成された溝である態様。
凸条と溝の断面形状としては、嵌合する凹と凸の関係の、断面四角形、断面三角形又は断面円弧形を例示できる。
【００１８】
（ウ）被掛止形状部は被掛止壁面材の前後方向中間部に形成された溝であり、掛止形状部は掛止壁面材の前後方向中間部に形成された凸条である態様。
溝と凸条の断面形状としては、嵌合する凹と凸の関係の、断面四角形、断面三角形又は断面円弧形を例示できる。
【００１９】
壁面の左右長に応じて、複数の被掛止壁面材が互いに緊結されることなく左右に連なるように配置され、複数の掛止壁面材が互いに緊結されることなく左右に連なるように配置された態様が好ましい。この場合、連なる被掛止壁面材と被掛止壁面材との間にまたがるように掛止壁面材が積まれ、連なる掛止壁面材と掛止壁面材との間にまたがるように被掛止壁面材が積まれた態様が好ましい。
【００２０】
２．アンカー
アンカーの材料としては、特に限定されないが、プレキャストコンクリート、金属を例示できる。金属としては、鋼を例示でき、好ましくはステンレス鋼である。
アンカーの形状としては、特に限定されないが、重量に対して前面投影面積が大きくなるよう、起立した板状、又は該板状を基本としてその一部を変形させた形状が好ましい。
【００２１】
３．補強材
補強材の材料としては、特に限定されないが、金属を例示できる。金属としては、鋼を例示でき、好ましくはステンレス鋼である。
補強材の構造としては、被掛止壁面材に埋め込まれた第１水平補強材と、アンカーに埋め込まれた第３水平補強材と、これらの間を延びる第２水平補強材と、第１水平補強材と第２水平補強材とをそれらに形成されたネジを利用して接続する第１ターンバックルと、第２水平補強材と第３水平補強材とをそれらに形成されたネジを利用して接続する第２ターンバックルとから構成されるものを例示できる。
【００２２】
４．盛土材
盛土材は、特に限定されず、現場で切り取った土でも、他所から現場に運んだ土でもよい。
【実施例】
【００２３】
図１〜図３に示す実施例のアンカー補強土壁は、それぞれＰＣａ製である複数の被掛止壁面材２，３と複数の掛止壁面材４と最上部の笠木材５とで鉛直に組み立てた壁面１と、壁面１の背面側に配置した複数のＰＣａ製のアンカー１０と、被掛止壁面材２，３のみとアンカー１０とを緊結した補強材２０と、壁面１の背面側にアンカー１０及び補強材２０を埋めるように充填した盛土材３０とからなる。掛止壁面材４とアンカー１０とは緊結されていない。
なお、以下に挙げる本実施例の各部の寸法は例示であり、適宜変更できる。例えば、各壁面材２，３，４の変更範囲は、左右長７５０〜２０００ｍｍ、全高２００〜１０００ｍｍ、前後厚１５０〜３００ｍｍが好ましい。
【００２４】
被掛止壁面材２，３には、一番下に載置する基礎の被掛止壁面材２と、それ以外の中間の被掛止壁面材３の２種類がある。
基礎の被掛止壁面材２は、図３（ｄ）に示すように、左右に延びる四角棒の上面の後端部に、左右に延びる断面長方形の切欠である被掛止形状部６が一体形成されたブロックである。基礎の被掛止壁面材２の左右長は１５００ｍｍ、全高は３７５ｍｍ、前後厚は１９０ｍｍである。被掛止形状部６の高さは７０ｍｍ、前後奥行は９５ｍｍである。
【００２５】
中間の被掛止壁面材３は、図３（ｂ）に示すように、左右に延びる四角棒の下面の後端部及び上面の後端部に、それぞれ左右に延びる断面長方形の切欠である被掛止形状部６が一体形成されたブロックである。中間の被掛止壁面材３の左右長は１５００ｍｍ、全高は３７５ｍｍ、前後厚は１９０ｍｍ、被掛止形状部６の高さは７０ｍｍ、前後奥行は９５ｍｍである。
【００２６】
被掛止壁面材２，３には、補強材２０の第１水平補強材２１のインサート２１ａがプレキャスト時に埋め込まれ、第１水平補強材２１は背面の中央部から後方へ突出している。
【００２７】
掛止壁面材４は、図３（ｃ）に示すように、横長の四角棒の下面の後端部及び上面の後端部に、それぞれ左右に延びる断面長方形の凸条である掛止形状部７が一体形成されたブロックである。掛止壁面材４の左右長は１５００ｍｍ、全高は３９０ｍｍ、前後厚は１９０ｍｍである。掛止形状部７の高さは７０ｍｍ、前後奥行は９５ｍｍである。
【００２８】
笠木材５は、図３（ａ）に示すように、横長の四角棒の下面の後端部に、左右に延びる断面長方形の凸条である掛止形状部７が一体形成されたブロックである。笠木材５の左右長は１５００ｍｍ、全高は３２０ｍｍ、前後厚は１９０ｍｍである。掛止形状部７の高さは７０ｍｍ、前後奥行は９５ｍｍである。
【００２９】
壁面１の左右長に応じて、複数の基礎の被掛止壁面材２が互いに緊結されることなく左右に連なるように配置され、同じく複数の中間の被掛止壁面材３が互いに緊結されることなく左右に連なるように配置され、同じく複数の掛止壁面材４が互いに緊結されることなく左右に連なるように配置され、同じく笠木材５が互いに緊結されることなく左右に連なるように配置されている。また、連なる被掛止壁面材２，３と被掛止壁面材２，３との間にまたがるように掛止壁面材４が積まれ、連なる掛止壁面材４と掛止壁面材４との間にまたがるように被掛止壁面材３が積まれている。
【００３０】
壁面１（擁壁）は、被掛止壁面材２，３と掛止壁面材４とを、互いに緊結することなく交互に積むとともに、掛止壁面材４が被掛止壁面材２，３に対し正面側へ変位しないよう、掛止壁面材４の掛止形状部７を上下の被掛止壁面材２，３の被掛止形状部６に嵌合させて掛止させ、さらに、一番上の掛止壁面材４に笠木材５を、互いに緊結することなく交互に積むとともに、笠木材５が被掛止壁面材３に対し正面側へ変位しないよう、笠木材５の掛止形状部７を被掛止壁面材３の被掛止形状部６に嵌合させて掛止させ、鉛直に組み立てられている。
【００３１】
アンカー１０は、重量に対して前面投影面積が大きくなるよう起立した板状としている。アンカー１０には、補強材２０の第３水平補強材２３のインサート２３ａがプレキャスト時に埋め込まれ、第３水平補強材２３はボス部１１の中央部から前方へ突出している。アンカー１０の左右長は８００ｍｍ、高さ４００ｍｍ、前面投影面積は０．３２ｍ2 、前後厚は１２０ｍｍである。複数のアンカー１０の前面投影面積の合計は、壁面１の面積の約３４．２％である。
【００３２】
補強材２０は、前記被掛止壁面材２，３に埋め込まれた棒状の第１水平補強材２１（インサート２１ａ付き）と、前記アンカー１０に埋め込まれた棒状の第３水平補強材２３（インサート２１ａ付き）と、これらの間を延びる棒状の第２水平補強材２２と、第１水平補強材２１と第２水平補強材２２とをそれらに形成されたネジを利用して接続する第１ターンバックル２４と、第２水平補強材２２と第３水平補強材２３とをそれらに形成されたネジを利用して接続する第２ターンバックル２５とから構成され、これらは溶融亜鉛メッキされた鋼材（好ましくはステンレス鋼材）により形成されている。
【００３３】
本実施例のアンカー補強土壁は、次の方法で構築することができる。
（１）背面土３１で構成される法面３２の前方における地盤に、砕石を敷き（図示略）、捨てコンクリート３３を打設する。
（２）捨てコンクリート３３に基礎の被掛止壁面材２を載置し、被掛止壁面材２の背面側であって（詳しくは被掛止壁面材２の背面中央部の真後ろに離間して）法面３２の手前の地盤にアンカー１０を載置し、基礎の被掛止壁面材２とアンカー１０とを補強材２０で緊結する。
（３）基礎の被掛止壁面材２に掛止壁面材４を積み、基礎の被掛止壁面材２と掛止壁面材４の途中高さまでの背面側に、アンカー１０及び補強材２０を埋めるように盛土材３０を充填し締め固める。掛止壁面材４に緊結するアンカー１０は設けない。
【００３４】
（４）掛止壁面材４に中間の被掛止壁面材３を載置し、被掛止壁面材３の背面側であって（詳しくは被掛止壁面材３の背面中央部の真後ろに離間して）法面３２の手前の盛土材３０にアンカー１０を載置し、中間の被掛止壁面材３とアンカー１０とを補強材２０で緊結する。
（５）中間の被掛止壁面材３に掛止壁面材４を積み、中間の被掛止壁面材３と掛止壁面材４の途中高さまでの背面側に、アンカー１０及び補強材２０を埋めるように盛土材３０を充填し締め固める。掛止壁面材４に緊結するアンカー１０は設けない。
【００３５】
（６）上記（４）と（５）を所要回数繰り返して、（４）で終わる。
（７）一番上の中間の被掛止壁面材３に笠木材５を積み、中間の被掛止壁面材３と笠木材５の途中高さまでの背面側に、アンカー１０及び補強材２０を埋めるように盛土材３０を充填し締め固める。
【００３６】
以上のように構成された本実施例のアンカー補強土壁によれば、次の作用効果が得られる。
まず、被掛止壁面材２，３と掛止壁面材４は、形状を単純化できることから、通常の流し込みコンクリート製法及び即時脱型コンクリート製法で製造でき、工費を安価にできる。
次に、低壁高から高壁高まで種々の高さの壁面１を、所用数の被掛止壁面材２，３と掛止壁面材４とを交互に積むことで簡易に施工できる。また、被掛止壁面材２，３と掛止壁面材４とを互いに緊結する金具を使用する作業が不要なので、工期を短縮でき、施工後に金具腐食の修復等の管理が要らない。さらに、金具で緊結しないことで、ある期間供用した後に壁面１を容易に解体でき再利用もできる。
そして、施工された補強土壁は、盛土材３０の拘束強度が大きく、盛土材３０全体が圧縮沈下しにくく、異常降雨や強い地震などがあっても壁面材の沈下、滑動、はらみ、脱落、転倒などの変状が生じにくい。
【００３７】
なお、本発明は上記実施例に限定されるものではなく、本発明の趣旨を逸脱しない範囲で適宜に変更して具体化することもできる。
（１）図４及び図５に示すように、被掛止形状部６と掛止形状部７の形状を適宜変更すること。
図４（ａ）は、実施例の被掛止形状部６を断面台形の切欠に、掛止形状部７を断面台形の凸条に変更した例である。
図４（ｂ）は、実施例の被掛止形状部６を断面円弧形の切欠に、掛止形状部７を断面円弧形の凸条に変更した例である。
図４（ｃ）は、被掛止形状部６を被掛止壁面材２の上面並びに被掛止壁面材３の上面及び下面の前後方向中間部に形成した断面台形の凸条とし、掛止形状部７を掛止壁面材４の上面及び下面の前後方向中間部に形成した断面台形の溝とした例である。
図４（ｄ）は、図４（ｃ）の被掛止形状部６と掛止形状部７を断面隅丸台形に変更した例である。
図４（ｅ）は、図４（ｃ）の被掛止形状部６と掛止形状部７を断面三角形に変更した例である。
図５（ａ）は、図４（ｃ）の被掛止形状部６と掛止形状部７を断面円弧形に変更した例である。
図５（ｂ）は、被掛止形状部６を被掛止壁面材２の上面並びに被掛止壁面材３の上面及び下面の前後方向中間部に形成した断面台形の溝とし、掛止形状部７を掛止壁面材４の上面及び下面の前後方向中間部に形成した断面台形の凸条とした例である。
図５（ｃ）は、図５（ｂ）の被掛止形状部６と掛止形状部７を断面隅丸台形に変更した例である。
図５（ｄ）は、図５（ｂ）の被掛止形状部６と掛止形状部７を断面三角形に変更した例である。
図５（ｅ）は、図５（ｂ）の被掛止形状部６と掛止形状部７を断面円弧形に変更した例である。
【００３８】
（２）図６（ａ）〜（ｅ）に示すように、アンカー１０の形状を適宜変更すること。
（ａ）は、起立した板状を基本とし、さらに前面の左右方向中央部にボス部１１を突出させ、前面のボス部の左右に凹所１２を形成し、左右の板端１３を斜め前に屈曲させた形状とした例である。凹所１２により、盛土材をより拘束しやすい作用を期待できる。
（ｂ）は、前記左右の板端１３を正面を向くまで屈曲させた形状とした例である。
（ｃ）は、板状を前に凹の平面視く字状とした例である。
（ｄ）は、板状を前に凸の平面視く字状とした例である。
（ｅ）は、板状の上下の板端１４を前に屈曲させた形状とした例である。
【符号の説明】
【００３９】
１    壁面
２    基礎の被掛止壁面材
３    中間の被掛止壁面材
４    掛止壁面材
５    笠木材
６    被掛止形状部
７    掛止形状部
１０    アンカー
２０    補強材
２１    第１水平補強材
２２    第２水平補強材
２３    第３水平補強材
２４    第１ターンバックル
２５    第２ターンバックル
３０    盛土材
【図１】
0006410672.tif 000002
【図２】
0006410672.tif 000003
【図３】
0006410672.tif 000004
【図４】
0006410672.tif 000005
【図５】
0006410672.tif 000006
【図６】
0006410672.tif 000007